(57)【要約】  この出願の実施例は、コンピュータサーバにおいて実行される情報表示方法を開示する。端末により送信され且つターゲットアカウントに対応する第１の表示情報要求を受信した後に、コンピュータサーバは、ターゲットアカウントにマッチする複数の表示情報オプションを端末に返信する。端末により送信され且つ複数の表示情報オプションからユーザにより選択された第１の表示情報オプションを受信した後に、コンピュータサーバは、第１の表示情報オプションに対応する第１の表示情報を端末に送信する。端末により送信され且つターゲットアカウントに対応する第２の表示情報要求を受信した後に、コンピュータサーバは、第１の表示情報の第１のタイプ情報に従って第２の表示情報を端末に送信する。第２の表示情報は、第１の表示情報の第１のタイプ情報を有する。
2019511142.tif 000002
【特許請求の範囲】
【請求項１】
情報表示方法であって、
端末により送信され且つターゲットアカウントに対応する第１の表示情報要求を受信するステップであり、前記第１の表示情報要求は、ビデオの再生が完了した後に提示される表示情報を取得するために使用されるステップと、
前記第１の表示情報要求に応じて、複数の表示情報オプションを前記端末に返信するステップと、
前記端末により送信され且つ前記複数の表示情報オプションからユーザにより選択された第１の表示情報オプションを受信し、前記第１の表示情報オプションに対応する第１の表示情報を前記端末に送信し、それにより、前記端末は、前記ビデオの再生が完了した後に前記第１の表示情報を前記ユーザに提示するステップと、
前記端末により送信され且つ前記ターゲットアカウントに対応する第２の表示情報要求を受信するステップと、
前記第２の表示情報要求に応じて、前記第１の表示情報の第１のタイプ情報に従って第２の表示情報を前記端末に送信するステップと
を含む方法。
【請求項２】
前記第２の表示情報要求に応じて、前記第１の表示情報の第１のタイプ情報に従って前記第２の表示情報を前記端末に送信するステップは、
前記端末により送信され且つ前記ターゲットアカウントに対応する前記第２の表示情報要求を受信したときに、前記第１の表示情報の前記第１のタイプ情報に従った複数の表示情報オプションを決定し、前記第１のタイプ情報に従った前記複数の表示情報オプションを前記端末に送信するステップと、
前記端末により送信され且つ前記第１のタイプ情報に従った前記複数の表示情報オプションから前記ユーザにより選択された第２の表示情報オプションを受信し、前記第２の表示情報オプションに対応する前記第２の表示情報を前記端末に送信するステップと
を含む、請求項１に記載の方法。
【請求項３】
前記第１の表示情報の前記第１のタイプ情報に従った前記複数の表示情報オプションを決定し、前記第２の表示情報要求に応じて、前記第１のタイプ情報に従った前記複数の表示情報オプションを前記端末に送信するステップは、
前記端末により送信され且つ前記ターゲットアカウントに対応する前記第２の表示情報要求を受信したときに、前記ターゲットアカウントのログイン位置を取得するステップと、
対応する予め設定された表示エリア内にあり且つ前記ログイン位置にマッチし且つ前記第１の表示情報の前記第１のタイプ情報に従った前記複数の表示情報オプションを決定し、前記複数の表示情報オプションを前記端末に送信するステップと
を含む、請求項２に記載の方法。
【請求項４】
前記端末により送信され且つ前記複数の表示情報オプションから前記ユーザにより選択された表示情報オプションが、前記第１のタイプ情報に従った前記複数の表示情報オプションが前記端末に送信された後に存続する第１の予め設定された持続時間内に受信されない場合、前記複数の表示情報オプションに対応する表示情報から、最大回数再生される予め設定された表示情報を取得し、最大回数再生される前記予め設定された表示情報を前記端末に送信するステップを更に含む、請求項２に記載の方法。
【請求項５】
前記端末により送信され且つ前記ターゲットアカウントに対応する第３の表示情報要求を受信したときに、前記第１の表示情報の前記第１のタイプ情報及び前記第２の表示情報の第２のタイプ情報に従った複数の表示情報オプションを決定し、前記複数の表示情報オプションを前記端末に送信するステップと、
前記端末により送信され且つ前記第１のタイプ情報及び前記第２のタイプ情報に従った前記複数の表示情報オプションから前記ユーザにより選択された第３の表示情報オプションを受信し、前記第３の表示情報オプションに対応する第３の表示情報を前記端末に送信するステップと
を更に含む、請求項２に記載の方法。
【請求項６】
前記第２の表示情報要求に応じて、前記第１の表示情報の第１のタイプ情報に従って前記第２の表示情報を前記端末に送信するステップは、
前記端末により送信され且つ前記ターゲットアカウントに対応する前記第２の表示情報要求が受信される前に、前記端末により送信されたタイプ選択要求が受信されない場合、前記端末により送信され且つ前記ターゲットアカウントに対応する前記第２の表示情報要求を受信したときに、前記第１の表示情報の前記第１のタイプ情報に従って前記第２の表示情報を前記端末に送信するステップを含み、
前記方法は、
前記端末により送信され且つ前記ターゲットアカウントに対応する前記第２の表示情報要求が受信される前に、前記端末により送信されたタイプ選択要求が受信された場合、前記端末により送信され且つ前記ターゲットアカウントに対応する前記第２の表示情報要求を受信したときに、第３のタイプ情報に従って前記第２の表示情報を前記端末に送信するステップであり、前記タイプ選択要求は、前記ユーザにより選択された前記第３のタイプ情報を搬送するステップを更に含む、請求項１に記載の方法。
【請求項７】
前記第２の表示情報要求に応じて、前記第１の表示情報の第１のタイプ情報に従って前記第２の表示情報を前記端末に送信するステップは、
前記端末により送信されたオプション拒否要求が受信された場合、前記端末により送信され且つ前記ターゲットアカウントに対応する前記第２の表示情報要求が、前記オプション拒否要求が受信される時間が属するオプション拒否期間内に受信されたときに、予め設定された様々なタイプ情報に対応する初期設定表示情報から、前記第１の表示情報の前記第１のタイプ情報に対応する前記第２の表示情報を取得し、前記第２の表示情報を前記端末に送信するステップを含む、請求項１に記載の方法。
【請求項８】
情報表示方法であって、
ターゲットアカウントに対応する第１の表示情報要求をサーバに送信するステップであり、前記第１の表示情報要求は、ビデオの再生が完了した後に提示される表示情報を取得するために使用されるステップと、
前記サーバによりフィードバックされた複数の表示情報オプションを受信するステップと、
第１の表示情報オプションを選択するためにユーザにより入力された選択命令を検出したことに応じて、前記複数の表示情報オプションのうち前記第１の表示情報オプションを前記サーバに送信するステップと、
前記サーバにより送信され且つ前記第１の表示情報オプションに対応する第１の表示情報を受信し、前記ビデオの再生が完了した後に前記第１の表示情報を再生するステップと、
前記ターゲットアカウントに対応する第２の表示情報要求を前記サーバに送信するステップと、
前記サーバにより送信され且つ前記第１の表示情報の第１のタイプ情報に従って決定された第２の表示情報を受信し、前記第２の表示情報を再生するステップと
を含む方法。
【請求項９】
前記サーバにより送信され且つ前記第１の表示情報の前記第１のタイプ情報に従って決定された第２の表示情報を受信し、前記第２の表示情報を再生するステップは、
前記サーバにより送信され且つ前記第１の表示情報の前記第１のタイプ情報に従った複数の表示情報オプションを受信するステップと、
第２の表示情報オプションを選択するために前記ユーザにより入力された選択命令を検出したことに応じて、前記第１のタイプ情報に従った前記複数の表示情報オプションのうち前記第２の表示情報オプションを前記サーバに送信するステップと、
前記サーバにより送信され且つ前記第２の表示情報オプションに対応する前記第２の表示情報を受信し、前記第２の表示情報を再生するステップと
を含む、請求項８に記載の方法。
【請求項１０】
前記ターゲットアカウントに対応する第３の表示情報要求を前記サーバに送信するステップと、
前記サーバにより送信され且つ前記第１の表示情報の前記第１のタイプ情報及び前記第２の表示情報の第２のタイプ情報に従った複数の表示情報オプションを受信するステップと、
第３の表示情報オプションを選択するために前記ユーザにより入力された選択命令を検出したときに、前記第１の表示情報の前記第１のタイプ情報及び前記第２の表示情報の第２のタイプ情報に従った前記複数の表示情報オプションのうち前記第３の表示情報オプションを前記サーバに送信するステップと、
前記サーバにより送信され且つ前記第３の表示情報オプションに対応する第３の表示情報を受信し、前記第３の表示情報を再生するステップと
を更に含む、請求項８に記載の方法。
【請求項１１】
端末により送信され且つターゲットアカウントに対応する第１の表示情報要求を受信するように構成されたフィードバックモジュールであり、前記第１の表示情報要求は、ビデオの再生が完了した後に提示される表示情報を取得するために使用され、前記第１の表示情報要求に応じて、複数の表示情報オプションを前記端末に返信するように構成されたフィードバックモジュールと、
前記端末により送信され且つ前記複数の表示情報オプションからユーザにより選択された第１の表示情報オプションを受信し、前記第１の表示情報オプションに対応する第１の表示情報を前記端末に送信するように構成された第１の送信モジュールであり、それにより、前記端末は、前記ビデオの再生が完了した後に前記第１の表示情報を前記ユーザに提示する第１の送信モジュールと、
前記端末により送信され且つ前記ターゲットアカウントに対応する第２の表示情報要求を受信し、前記第２の表示情報要求に応じて、前記第１の表示情報の第１のタイプ情報に従って第２の表示情報を前記端末に送信するように構成された第２の送信モジュールと
を含むサーバ。
【請求項１２】
前記第２の送信モジュールは、
前記端末により送信され且つ前記ターゲットアカウントに対応する前記第２の表示情報要求を受信したときに、前記第１の表示情報の前記第１のタイプ情報に従った複数の表示情報オプションを決定し、前記第１のタイプ情報に従った前記複数の表示情報オプションを前記端末に送信し、
前記端末により送信され且つ前記第１のタイプ情報に従った前記複数の表示情報オプションから前記ユーザにより選択された第２の表示情報オプションを受信し、前記第２の表示情報オプションに対応する前記第２の表示情報を前記端末に送信するように構成される、請求項１１に記載のサーバ。
【請求項１３】
前記第２の送信モジュールは、取得サブモジュールと、送信サブモジュールとを含み、
前記取得サブモジュールは、前記端末により送信され且つ前記ターゲットアカウントに対応する前記第２の表示情報要求を受信したときに、前記ターゲットアカウントのログイン位置を取得するように構成され、
前記送信サブモジュールは、対応する予め設定された表示エリア内にあり且つ前記ログイン位置にマッチし且つ前記第１の表示情報の前記第１のタイプ情報に従った前記複数の表示情報オプションを決定し、前記複数の表示情報オプションを前記端末に送信するように構成される、請求項１２に記載のサーバ。
【請求項１４】
前記第１の送信モジュールは、
前記端末により送信され且つ前記複数の表示情報オプションから前記ユーザにより選択された表示情報オプションが、前記第１のタイプ情報に従った前記複数の表示情報オプションが前記端末に送信された後に存続する第１の予め設定された持続時間内に受信されない場合、前記複数の表示情報オプションに対応する表示情報から、最大回数再生される予め設定された表示情報を取得し、最大回数再生される前記予め設定された表示情報を前記端末に送信するように更に構成される、請求項１２に記載のサーバ。
【請求項１５】
前記端末により送信され且つ前記ターゲットアカウントに対応する第３の表示情報要求を受信したときに、前記第１の表示情報の前記第１のタイプ情報及び前記第２の表示情報の第２のタイプ情報に従った複数の表示情報オプションを決定し、前記複数の表示情報オプションを前記端末に送信するように構成された第３の送信モジュールと、
前記端末により送信され且つ前記第１のタイプ情報及び前記第２のタイプ情報に従った前記複数の表示情報オプションから前記ユーザにより選択された第３の表示情報オプションを受信し、前記第３の表示情報オプションに対応する第３の表示情報を前記端末に送信するように構成された第４の送信モジュールと
を更に含む、請求項１２に記載のサーバ。
【請求項１６】
前記第２の送信モジュールは、
前記端末により送信され且つ前記ターゲットアカウントに対応する前記第２の表示情報要求が受信される前に、前記端末により送信されたタイプ選択要求が受信されない場合、前記端末により送信され且つ前記ターゲットアカウントに対応する前記第２の表示情報要求を受信したときに、前記第１の表示情報の前記第１のタイプ情報に従って前記第２の表示情報を前記端末に送信するように構成され、
前記第２の送信モジュールは、
前記端末により送信され且つ前記ターゲットアカウントに対応する前記第２の表示情報要求が受信される前に、前記端末により送信されたタイプ選択要求が受信された場合、前記端末により送信され且つ前記ターゲットアカウントに対応する前記第２の表示情報要求を受信したときに、第３のタイプ情報に従って前記第２の表示情報を前記端末に送信するように更に構成され、前記タイプ選択要求は、前記ユーザにより選択された前記第３のタイプ情報を搬送する、請求項１１に記載のサーバ。
【請求項１７】
前記第２の送信モジュールは、
前記端末により送信されたオプション拒否要求が受信された場合、前記端末により送信され且つ前記ターゲットアカウントに対応する前記第２の表示情報要求が、前記オプション拒否要求が受信される時間が属するオプション拒否期間内に受信されたときに、予め設定された様々なタイプ情報に対応する初期設定表示情報から、前記第１の表示情報の前記第１のタイプ情報に対応する前記第２の表示情報を取得し、前記第２の表示情報を前記端末に送信するように構成される、請求項１１に記載のサーバ。
【請求項１８】
ターゲットアカウントに対応する第１の表示情報要求をサーバに送信するように構成された第１の送信モジュールであり、前記第１の表示情報要求は、ビデオの再生が完了した後に提示される表示情報を取得するために使用される第１の送信モジュールと、
前記サーバにより返信された複数の表示情報オプションを受信するように構成された受信モジュールと、
第１の表示情報オプションを選択するためにユーザにより入力された選択命令を検出したことに応じて、前記複数の表示情報オプションのうち前記第１の表示情報オプションを前記サーバに送信するように構成された第２の送信モジュールと、
前記サーバにより送信され且つ前記第１の表示情報オプションに対応する第１の表示情報を受信し、前記ビデオの再生が完了した後に前記第１の表示情報を再生するように構成された第１の再生モジュールと、
前記ターゲットアカウントに対応する第２の表示情報要求を前記サーバに送信するように構成された第３の送信モジュールと、
前記サーバにより送信され且つ前記第１の表示情報の第１のタイプ情報に従って決定された第２の表示情報を受信し、前記第２の表示情報を再生するように構成された第２の再生モジュールと
を含む端末。
【請求項１９】
前記第２の送信モジュールは、受信サブモジュールと、送信サブモジュールと、再生サブモジュールとを含み、
前記受信サブモジュールは、前記サーバにより送信され且つ前記第１の表示情報の前記第１のタイプ情報に従った複数の表示情報オプションを受信するように構成され、
前記送信サブモジュールは、第２の表示情報オプションを選択するために前記ユーザにより入力された選択命令を検出したことに応じて、前記第１のタイプ情報に従った前記複数の表示情報オプションのうち前記第２の表示情報オプションを前記サーバに送信するように構成され、
前記再生サブモジュールは、前記サーバにより送信され且つ前記第２の表示情報オプションに対応する前記第２の表示情報を受信し、前記第２の表示情報を再生するように構成される、請求項１８に記載の端末。
【請求項２０】
前記第１の送信モジュールは、前記ターゲットアカウントに対応する第３の表示情報要求を前記サーバに送信するように更に構成され、
前記受信モジュールは、前記サーバにより送信され且つ前記第１の表示情報の前記第１のタイプ情報及び前記第２の表示情報の第２のタイプ情報に従った複数の表示情報オプションを受信するように更に構成され、
前記第２の送信モジュールは、第３の表示情報オプションを選択するために前記ユーザにより入力された選択命令を検出したときに、前記第１の表示情報の前記第１のタイプ情報及び前記第２の表示情報の前記第２のタイプ情報に従った前記複数の表示情報オプションのうち前記第３の表示情報オプションを前記サーバに送信するように更に構成され、
前記第２の再生モジュールは、前記サーバにより送信され且つ前記第３の表示情報オプションに対応する第３の表示情報を受信し、前記第３の表示情報を再生するように更に構成される、請求項１８に記載の端末。
【請求項２１】
サーバと端末とを含む情報表示システムであって、
前記サーバは、前記端末により送信され且つターゲットアカウントに対応する第１の表示情報要求を受信し、前記第１の表示情報要求は、ビデオの再生が完了した後に提示される表示情報を取得するために使用され、前記第１の表示情報要求に応じて、複数の表示情報オプションを前記端末に返信し、前記端末により送信され且つ前記複数の表示情報オプションからユーザにより選択された第１の表示情報オプションを受信し、前記第１の表示情報オプションに対応する第１の表示情報を前記端末に送信し、前記端末により送信され且つ前記ターゲットアカウントに対応する第２の表示情報要求を受信し、前記第１の表示情報の第１のタイプ情報に従って第２の表示情報を前記端末に送信するように構成され、
前記端末は、ターゲットアカウントに対応する第１の表示情報要求をサーバに送信し、前記サーバにより返信された複数の表示情報オプションを受信し、第１の表示情報オプションを選択するためにユーザにより入力された選択命令を検出したことに応じて、前記複数の表示情報オプションのうち前記第１の表示情報オプションを前記サーバに送信し、第１の表示情報を受信し、前記ビデオの再生が完了した後に前記第１の表示情報を再生し、前記ターゲットアカウントに対応する第２の表示情報要求を前記サーバに送信し、前記サーバにより送信された前記第２の表示情報を受信し、前記第２の表示情報を再生するように構成されるシステム。
【発明の詳細な説明】
【技術分野】
【０００１】
この出願は、コンピュータ技術分野に関し、特に情報表示方法、装置及びシステムに関する。
【背景技術】
【０００２】
コンピュータ技術及びネットワーク技術が発展すると共に、ネットワークビデオのコンテンツはますます多様になっている。多様なコンテンツのため、ネットワークビデオは、次第にユーザの広い注目を引き付けている。ユーザが端末でネットワークビデオを視聴するときに、ネットワークビデオサービスのサーバは、ニュース情報及び広告情報のような表示情報を端末にプッシュし得る。
【０００３】
通常では、ネットワークビデオの再生が終了した直後に、特定の持続時間の予め設定された表示情報が提示され、表示情報は一般的にポストロール広告と呼ばれる。
【発明の概要】
【０００４】
既存の技術における課題を解決するために、この出願の実施例は、情報表示方法、装置及びシステムを提供する。
【０００５】
この出願の実施例は、情報表示方法を提供し、
端末により送信され且つターゲットアカウントに対応する第１の表示情報要求を受信するステップであり、第１の表示情報要求は、ビデオの再生が完了した後に提示される表示情報を取得するために使用されるステップと、
第１の表示情報要求に応じて、複数の表示情報オプションを端末に返信するステップと、
端末により送信され且つ複数の表示情報オプションからユーザにより選択された第１の表示情報オプションを受信し、第１の表示情報オプションに対応する第１の表示情報を端末に送信し、それにより、端末は、ビデオの再生が完了した後に第１の表示情報をユーザに提示するステップと、
端末により送信され且つターゲットアカウントに対応する第２の表示情報要求を受信するステップと、
第２の表示情報要求に応じて、第１の表示情報の第１のタイプ情報に従って第２の表示情報を端末に送信するステップと
を含む。
【０００６】
この出願の実施例は、情報表示方法を更に提供し、
ターゲットアカウントに対応する第１の表示情報要求をサーバに送信するステップであり、第１の表示情報要求は、ビデオの再生が完了した後に提示される表示情報を取得するために使用されるステップと、
サーバによりフィードバックされた複数の表示情報オプションを受信するステップと、
第１の表示情報オプションを選択するためにユーザにより入力された選択命令を検出したことに応じて、複数の表示情報オプションのうち第１の表示情報オプションをサーバに送信するステップと、
サーバにより送信され且つ第１の表示情報オプションに対応する第１の表示情報を受信し、ビデオの再生が完了した後に第１の表示情報を再生するステップと、
ターゲットアカウントに対応する第２の表示情報要求をサーバに送信するステップと、
サーバにより送信され且つ第１の表示情報の第１のタイプ情報に従って決定された第２の表示情報を受信し、第２の表示情報を再生するステップと
を含む。
【０００７】
この出願の実施例は、サーバを更に提供し、
端末により送信され且つターゲットアカウントに対応する第１の表示情報要求を受信するように構成されたフィードバックモジュールであり、第１の表示情報要求は、ビデオの再生が完了した後に提示される表示情報を取得するために使用され、第１の表示情報要求に応じて、複数の表示情報オプションを端末に返信するように構成されたフィードバックモジュールと、
端末により送信され且つ複数の表示情報オプションからユーザにより選択された第１の表示情報オプションを受信し、第１の表示情報オプションに対応する第１の表示情報を端末に送信するように構成され、それにより、端末は、ビデオの再生が完了した後に第１の表示情報をユーザに提示する第１の送信モジュールと
端末により送信され且つターゲットアカウントに対応する第２の表示情報要求を受信し、第２の表示情報要求に応じて、第１の表示情報の第１のタイプ情報に従って第２の表示情報を端末に送信するように構成された第２の送信モジュールと
を含む。
【０００８】
この出願の実施例は、端末を更に提供し、
ターゲットアカウントに対応する第１の表示情報要求をサーバに送信するように構成された第１の送信モジュールであり、第１の表示情報要求は、ビデオの再生が完了した後に提示される表示情報を取得するために使用される第１の送信モジュールと、
サーバにより返信された複数の表示情報オプションを受信するように構成された受信モジュールと、
第１の表示情報オプションを選択するためにユーザにより入力された選択命令を検出したことに応じて、複数の表示情報オプションのうち第１の表示情報オプションをサーバに送信するように構成された第２の送信モジュールと、
サーバにより送信され且つ第１の表示情報オプションに対応する第１の表示情報を受信し、ビデオの再生が完了した後に第１の表示情報を再生するように構成された第１の再生モジュールと、
ターゲットアカウントに対応する第２の表示情報要求をサーバに送信するように構成された第３の送信モジュールと、
サーバにより送信され且つ第１の表示情報の第１のタイプ情報に従って決定された第２の表示情報を受信し、第２の表示情報を再生するように構成された第２の再生モジュールと
を含む。
【０００９】
この出願の実施例のうち或る実施例は、情報表示システムを更に提供する。システムは、サーバと端末とを含み、
サーバは、端末により送信され且つターゲットアカウントに対応する第１の表示情報要求を受信し、第１の表示情報要求は、ビデオの再生が完了した後にプッシュされた表示情報を取得するために使用され、複数の表示情報オプションを端末に返信し、端末により送信され且つ複数の表示情報オプションからユーザにより選択された第１の表示情報オプションを受信し、第１の表示情報オプションに対応する第１の表示情報を端末に送信し、端末により送信され且つターゲットアカウントに対応する第２の表示情報要求を受信したときに、第１の表示情報の第１のタイプ情報に従って第２の表示情報を端末に送信するように構成され、
端末は、ターゲットアカウントに対応する第１の表示情報要求をサーバに送信し、サーバにより返信された複数の表示情報オプションを受信し、第１の表示情報オプションを選択するためにユーザにより入力された選択命令を検出したときに、複数の表示情報オプションのうち第１の表示情報オプションをサーバに送信し、サーバにより送信された第１の表示情報を受信し、ビデオの再生が完了した後に第１の表示情報を再生し、ターゲットアカウントに対応する第２の表示情報要求をサーバに送信し、サーバにより送信され且つ第１の表示情報の第１のタイプ情報に従って決定された第２の表示情報を受信し、第２の表示情報を再生するように構成される。
【００１０】
この出願の実施例では、ユーザにより選択された提示対象の情報が再生されてもよく、ユーザが関心を有し得る提示対象の情報が、ユーザにより以前に視聴された提示対象の情報に基づいてユーザに提示されてもよく、それにより、提示対象の情報のプッシュ効果を改善する。
【図面の簡単な説明】
【００１１】
この出願の実施例における技術的解決策をより明確に説明するために、以下に実施例を説明するために必要な添付図面を簡単に紹介する。明らかに、以下の説明における添付図面は、この出願の単にいくつかの実施例を示しているに過ぎず、当業者は、創作的取り組みなしに、依然としてこれらの添付図面から他の図面を導き得る。
【図１】この出願の実施例による情報表示方法のフローチャートである。
【図２】この出願の実施例による情報表示インタフェースの概略図である。
【図３】この出願の実施例による情報表示インタフェースの概略図である。
【図４】この出願の実施例による情報表示方法のフローチャートである。
【図５】この出願の実施例によるサーバの概略構成図である。
【図６】この出願の実施例によるサーバの概略構成図である。
【図７】この出願の実施例によるサーバの概略構成図である。
【図８】この出願の実施例による端末の概略構成図である。
【図９】この出願の実施例による端末の概略構成図である。
【図１０】この出願の実施例によるサーバの概略構成図である。
【図１１】この出願の実施例による端末の概略構成図である。
【発明を実施するための形態】
【００１２】
この出願の目的、技術的解決策及び利点をより明確にするために、以下に、添付図面を参照してこの出願の実施例について詳細に更に説明する。
【００１３】
この出願の実施例は、情報表示方法を提供し、方法は、端末及びサーバにより共同で実現されてもよい。端末は、ユーザにより使用されるビデオ再生機能を有する端末でもよい。端末は、ビデオを再生するためのビデオアプリケーションプログラムをインストールされてもよい。端末は、スマートフォン、コンピュータ等でもよい。端末は、プロセッサ、メモリ、トランシーバ等を備えてもよい。プロセッサは、ネットワークビデオ再生手順における情報表示手順を処理するように構成されてもよい。メモリは、処理過程における必要なデータ及び生成されたデータを記憶するように構成されてもよく、トランシーバは、情報を受信及び送信するように構成されてもよい。端末は、画面のような入出力デバイスを更に備えてもよい。画面は、アプリケーションプログラムインタフェース、ビデオ画像等を表示するように構成されてもよい。画面は、タッチ制御画面でもよい。端末は、ビデオアプリケーションプログラムを使用することによりネットワークビデオを再生してもよく、或いはビデオウェブサイトにアクセスすることによりネットワークビデオを再生してもよい。サーバは、ビデオを再生するためのビデオアプリケーションプログラムのバックエンドサーバでもよい。サーバは、プロセッサ、メモリ、トランシーバ等を備えてもよい。プロセッサは、ネットワークビデオ再生手順における情報表示手順を処理するように構成されてもよい。メモリは、処理過程における必要なデータ及び生成されたデータを記憶するように構成されてもよい。トランシーバは、情報を受信及び送信するように構成されてもよい。表示情報は、サーバによりユーザに対してアクティブにプッシュされる情報であり、例えば、ニュース情報及び広告情報でもよい。例えば、この出願の実施例では、端末は移動電話であり、表示情報は商品の広告情報であり、解決策を詳細に説明する。他の場合もこれと同様であり、実施例では再び詳細に説明しない。
【００１４】
図１に示すように、コンピュータサーバにおいて実行されるこの方法の処理手順は以下のステップを含んでもよい。
【００１５】
ステップ101：端末は、ターゲットアカウントに対応する第１の表示情報要求をサーバに送信する。
【００１６】
この明細書において、「第１」及び「第２」は便宜上２つの対象物を示すことを意図するものであり、実際の意味を示さない。例えば、ここでの表示情報要求は、端末により再び以降で送信される表示情報要求と区別されるためにのみ、第１の表示情報要求と呼ばれる。
【００１７】
表示情報要求は、ビデオの再生が完了した後にユーザに提示される表示情報（すなわち、ビデオのポストロール広告として使用される情報）を取得するために使用される要求である。端末は、様々な機会に表示情報要求をサーバに送信してもよい。例えば、端末は、ビデオを再生する前、ビデオを再生する過程、又はビデオの再生が完了した後に、表示情報要求をサーバに送信してもよい。
【００１８】
例えば、ユーザは、端末にビデオアプリケーションプログラムをインストールしてもよい。ビデオアプリケーションプログラムがトリガーされて有効にされ、ターゲットアカウントがビデオアプリケーションプログラムにログインするために使用された後に、映画を見るためにビデオリストが展開される。映画の再生が完了する前に存続する予め設定された持続時間内に（予め設定された持続時間は、技術者により設定され、サーバに記憶されてもよい）、端末は、第１の表示情報要求をサーバに送信してもよく、第１の表示情報要求は、ターゲットアカウントのアカウント識別子を搬送する。ターゲットアカウントのアカウント識別子は、ユーザアカウント（例えば、ビデオ再生システムに登録されたユーザ名、電子メールアドレス、電話番号、インスタントメッセージングアカウント又はソーシャルシステムアカウント）でもよく、或いはユーザにより使用される端末デバイスのデバイス識別子（例えば、デバイスハードウェア識別コード、電話番号、IPアドレス又はアプリケーション識別子）でもよい。アプリケーション識別子は、ユーザ装置にインストールされたアプリケーションを、他のユーザ装置にインストールされた同じアプリケーションから区別できる識別子である。
【００１９】
ステップ102：サーバは、端末により送信され且つターゲットアカウントに対応する第１の表示情報要求を受信し、複数の表示情報オプションを端末に返信する。
【００２０】
ここで、表示情報オプションは、表示情報又は表示情報タイプについての情報である。例えば、表示情報オプションは、表示情報のタイトル、簡単なテキストの紹介、画像等、例えば、特定のモデルの車の名前若しくは画像又はスキンケア製品の名前若しくは画像でもよい。代替として、表示情報オプションは、表示情報タイプの名前、画像等でもよく、例えば、名前は、「車」、「化粧品」及び「母子製品」でもよい。
【００２１】
いくつかの例では、サーバは、端末により送信され且つターゲットアカウントに対応する第１の表示情報要求を受信し、次に、ターゲットアカウントのアカウント識別子に従って、複数の表示情報オプションを、ターゲットアカウントを使用することによりログインが実行された端末に送信する。例えば、サーバは、３つの表示情報オプションを端末に送信してもよい。
【００２２】
ステップ103：端末は、サーバによりフィードバックされた複数の表示情報オプションを受信する。
【００２３】
実施例では、端末がサーバによりフィードバックされた複数の表示情報オプションを受信した後に、端末は、複数の表示情報オプションをインタフェース上に表示してもよい。例えば、図２に示すように、端末がサーバによりフィードバックされた３つの表示情報オプションを受信した後に、端末は、Dior香水オプション、Diorリップグロスオプション及びDior羊皮ハンドバッグオプションの３つの表示情報オプションをインタフェース上に表示してもよい。
【００２４】
ステップ104：端末は、第１の表示情報オプションを選択するためにユーザにより入力された選択命令を検出したときに、複数の表示情報オプションのうち第１の表示情報オプションをサーバに送信する。
【００２５】
実施例では、端末は、複数の表示情報オプションをインタフェース上に表示し、ユーザは、複数の表示情報オプションのうち第１の表示情報オプションをクリックしてもよく、端末が第１の表示情報オプションを選択するためにユーザにより入力された選択命令を検出したときに、端末は、第１の表示情報オプションをサーバに送信してもよい。
【００２６】
ステップ105：サーバは、端末により送信され且つ複数の表示情報オプションからユーザにより選択された第１の表示情報オプションを受信し、第１の表示情報オプションに対応する第１の表示情報を端末に送信する。
【００２７】
実施例では、技術者は、表示情報オプションと対応する表示情報との間の対応関係を予め設定し、表示情報オプションと対応する表示情報との間の対応関係をサーバに記憶してもよい。サーバが端末により送信された第１の表示情報オプションを受信したときに、サーバは、表示情報オプションと表示情報との間の対応関係に従って、第１の表示情報オプションに対応する第１の表示情報要求を決定し、次に、第１の表示情報を端末に送信してもよく、それにより、端末は、ビデオの再生が完了した後に第１の表示情報をユーザに提示する。
【００２８】
例えば、表示情報オプションが表示情報についての情報であるときに、サーバは、表示情報オプションに対応する表示情報を端末に提供してもよい。表示情報オプションが表示情報タイプについての情報であるときに、サーバは、表示情報タイプの複数の表示情報の中の表示情報を第１の表示情報として決定し、第１の表示情報を端末に提供してもよい。複数の表示情報の中の表示情報を第１の表示情報として決定するための方法において、表示情報はランダムに選択されてもよく、或いは他のパラメータに従って決定されてもよい。例えば、表示情報は、各表示情報の予め設定された優先度と各表示情報が提示された回数とに従って決定されてもよく、或いは各表示情報が提示されるべき予め設定されたターゲット回数と各表示情報が提示された現在の回数との間の差、すなわち、依然として現在要求されるプッシュ回数に従って決定されてもよい。
【００２９】
さらに、サーバは、ターゲットアカウントと第１の表示情報の表示情報タイプとの間の対応関係を更に記憶してもよい。いくつかの例では、ターゲットアカウントに対応する表示情報要求がその後に受信されたときに、複数の表示情報オプションは、ターゲットアカウントに対応する表示情報タイプに従って決定され、端末に提供されてもよい。いくつかの例では、ターゲットアカウントに対応する表示情報要求がその後に受信されたときに、第２の表示情報は、ターゲットアカウントに対応する表示情報タイプに従って決定され、端末に提供されてもよく、それにより、端末は、ビデオの再生が完了した後に第２の表示情報をユーザに提示する。例えば、表示情報要求を受信した後に、サーバは、ターゲットアカウントと表示情報タイプとの間の対応関係が記憶されているか否かを検出し、そうでない場合、複数の表示情報オプションを端末に返信するためにステップ102を実行し、そうである場合、ステップ102をスキップし、ターゲットアカウントに対応する表示情報タイプに従って第２の表示情報を決定し、第２の表示情報を端末に提供してもよい。サーバは、対応関係のエージング時間を更に設定してもよく、エージング時間に到達したときに、サーバは対応関係を削除してもよい。
【００３０】
ステップ106：端末は、サーバにより送信され且つ第１の表示情報オプションに対応する第１の表示情報を受信し、第１の表示情報を再生する。
【００３１】
実施例では、端末がサーバにより送信された第１の表示情報を受信した後に、端末は、第１の表示情報をインタフェース上に再生してもよい。
【００３２】
ステップ107：端末は、ターゲットアカウントに対応する第２の表示情報要求をサーバに送信する。
【００３３】
実施例では、ユーザが端末のビデオアプリケーションプログラムにログインしてビデオ（例えば、神話映画）を視聴するためにターゲットアカウントを使用したときに、端末は、ビデオの再生が完了する前に存続する予め設定された持続時間（例えば、10秒）内に、第２の表示情報要求をサーバに送信してもよく、第２の表示情報要求は、ターゲットアカウントのアカウント識別子を搬送する。
【００３４】
ステップ108：サーバは、端末により送信され且つターゲットアカウントに対応する第２の表示情報要求を受信した後に、第１の表示情報の第１のタイプ情報に従って第２の表示情報を端末に送信する。
【００３５】
実施例によれば、ビデオの再生が完了した後に、サービスプロバイダにより指定されたプッシュコンテンツを再生する代わりに、ユーザにより自発的に選択されたプッシュコンテンツが再生される。したがって、ユーザは、プッシュコンテンツに関心を有し得る。このように、ビデオの再生が完了した後に、ユーザは、再生インタフェースを直接閉じない可能性があり、ビデオの後に付随する提示対象の情報を視聴する可能性がより高くなり、それにより、表示情報プッシュ効果がより良くなる。
【００３６】
実施例では、サーバが端末により送信され且つターゲットアカウントに対応する第２の表示情報要求を受信したときに、サーバは、ターゲットアカウントに対応する第１の表示情報を取得し、第１の表示情報に従って対応する第１のタイプ情報を取得し、第１のタイプ情報に従って、第１のタイプ情報に対応する第２の表示情報を決定し、次に、第２の表示情報を端末に送信してもよい。
【００３７】
実施例では、サーバは、ユーザにより選択された第２の表示情報オプションに対応する第２の表示情報を端末に送信してもよい。対応する処理は以下の通りでもよい。端末により送信され且つターゲットアカウントに対応する第２の表示情報要求を受信した後に、サーバは、第１の表示情報の第１のタイプ情報に従った複数の表示情報オプションを決定し、第１のタイプ情報に従った複数の表示情報オプションを端末に送信し、端末により送信され且つ第１のタイプ情報に従った複数の表示情報オプションからユーザにより選択された第２の表示情報オプションを受信し、第２の表示情報オプションに対応する第２の表示情報を端末に送信する。
【００３８】
実施例では、技術者は、表示情報タイプ情報と表示情報オプションとの間の対応関係を予め設定し、各表示情報及び対応するタイプ情報を対応関係に追加し、対応関係をサーバに記憶してもよい。サーバが端末により送信された第２の表示情報要求を受信した後に、サーバは、第１の表示情報に対応する第１のタイプ情報を取得し、タイプ情報と表示情報オプションとの間の対応関係に従って、第１のタイプ情報に対応する複数の表示情報オプションを取得し、次に、複数の表示情報オプションを端末に送信してもよい。端末が複数の表示情報オプションを受信した後に、端末は、複数の表示情報オプションをインタフェース上に表示してもよい。ユーザは、複数の表示情報オプションのうち第２の表示情報オプションをクリックし、第２の表示情報オプションの選択命令を受信するように端末をトリガーしてもよい。端末は、第２の表示情報オプションをサーバに送信してもよい。サーバが第２の表示情報オプションを受信した後に、サーバは、表示情報オプションと表示情報との間の対応関係に従って、第２の表示情報オプションに対応する第２の表示情報を取得し、次に、第２の表示情報を端末に送信してもよい。
【００３９】
実施例では、サーバは、端末のログイン位置にマッチし且つ第１のタイプ情報に従った表示情報オプションを端末に送信してもよい。対応する処理は以下の通りでもよい。端末により送信され且つターゲットアカウントに対応する第２の表示情報要求を受信した後に、サーバは、ターゲットアカウントのログイン位置を取得し、対応する予め設定された表示エリア内にあり且つログイン位置にマッチし且つ第１の表示情報の第１のタイプ情報に従った複数の表示情報オプションを決定し、複数の表示情報オプションを端末に送信する。
【００４０】
実施例では、技術者は、表示情報毎に再生エリアを設定し（例えば、表示情報Aは北京で再生され、表示情報Bは上海で再生される）、エリアをサーバに記憶してもよい。サーバが端末により送信され且つターゲットアカウントに対応する第２の表示情報要求を受信したときに、サーバは、ターゲットアカウントのログイン位置を取得し、第１の表示情報の第１のタイプ情報を決定し、ターゲットアカウントのログイン位置にマッチし且つ第１のタイプ情報に従った複数の表示情報オプションを決定し、次に、複数の表示情報オプションを端末に送信してもよい。例えば、サーバが端末により送信された第２の表示情報要求を受信したときに、サーバは、ターゲットアカウントのログイン位置が北京であり、第１の表示情報オプションに対応する第１のタイプ情報がDior香水であると決定する。サーバは、北京で再生され得るDior香水の複数の表示情報オプションを取得し、次に、複数の表示情報オプションを端末に送信してもよい。
【００４１】
実施例では、サーバは、最大回数再生される表示情報を端末に送信してもよい。対応する処理は以下の通りでもよい。端末により送信され且つ複数の表示情報オプションからユーザにより選択された表示情報オプションが、第１のタイプ情報に従った複数の表示情報オプションが端末に送信された後に存続する第１の予め設定された持続時間内に受信されない場合、複数の表示情報オプションに対応する表示情報から、最大回数再生される予め設定された表示情報を取得し、最大回数再生される予め設定された表示情報を端末に送信する。
【００４２】
実施例では、技術者は、第１の予め設定された持続時間を予め設定し、第１の予め設定された持続時間をサーバに記憶してもよい。第１の予め設定された持続時間は、端末により送信された表示情報オプションが、サーバが第１のタイプ情報に従った複数の表示情報オプションを端末に送信した後に存続する第１の予め設定された持続時間内に受信されない場合、サーバが最大回数再生される表示情報を端末に送信するために使用されてもよい。技術者は、各表示情報が再生される回数を設定し、各表示情報が再生される回数をサーバに記憶してもよい。
【００４３】
サーバが第１のタイプ情報に従った複数の表示情報オプションを端末に送信したときに、タイミングが始まる。複数の表示情報オプションのうち或る表示情報オプションを選択するために端末により送信された選択命令が、その後の第１の予め設定された持続時間の後に受信されない場合、サーバは、端末に送信された複数の表示情報オプションのうち最大回数再生される表示情報オプションを取得し、次に、表示情報オプションと表示情報との間の対応関係に従って、最大回数再生される表示情報オプションに対応する表示情報を決定し、表示情報を端末に送信してもよい。
【００４４】
実施例では、端末により送信され且つターゲットアカウントに対応する第２の表示情報要求が受信される前に、端末により送信されたタイプ選択要求が受信されない場合、第２の表示情報は、端末により送信され且つターゲットアカウントに対応する第２の表示情報要求が受信されたときに、第１の表示情報の第１のタイプ情報に従って端末に送信される。端末により送信され且つターゲットアカウントに対応する第２の表示情報要求が受信される前に、端末により送信されたタイプ選択要求が受信された場合、第２の表示情報は、端末により送信され且つターゲットアカウントに対応する第２の表示情報要求が受信されたときに、第３のタイプ情報に従って端末に送信される。タイプ選択要求は、ユーザにより選択された第３のタイプ情報を搬送する。
【００４５】
実施例では、サーバが端末により送信され且つターゲットアカウントに対応する第２の表示情報を受信する前に、サーバがターゲットアカウントに対応するタイプ選択要求を受信しない場合、端末により送信され且つターゲットアカウントに対応する第２の表示情報要求を受信した後に、サーバは、第１の表示情報のタイプ情報が第１のタイプ情報であると決定し、次に、タイプ情報と表示情報オプションとの間の対応関係に従って、第１のタイプ情報に対応する第２の表示情報オプションを決定し、第２の表示情報オプションに対応する第２の表示情報を決定し、第２の表示情報を端末に送信してもよい。
【００４６】
ユーザがビデオを視聴するためにビデオアプリケーションプログラムを使用するときに、ユーザは、設定オプションをクリックし、タイプ設定オプション、収集オプション及び表示情報の他のオプションを表示するように端末をトリガーしてもよい。ユーザは、タイプ設定オプションをクリックし、複数のタイプオプションを表示するようにトリガーしてもよい。ユーザは、第３のタイプ情報の選択ボックスをクリックし、次に、決定キーをクリックし、タイプ選択要求をサーバに送信するように端末をトリガーしてもよく、タイプ選択要求は、第３のタイプ情報及びターゲットアカウントを搬送する。サーバがタイプ選択要求を受信したときに、サーバは、ターゲットアカウント及び対応する第３のタイプ情報を記憶する。サーバが第２の表示情報要求を受信したときに、サーバは、搬送されたターゲットアカウントを取得するために解析を実行し、ターゲットアカウントに対応するタイプ情報が第３のタイプ情報であると習得し、タイプ情報と表示情報オプションとの間の対応関係に従って、第３のタイプ情報に対応する第２の表示情報オプションを決定し、第２の表示情報オプションに対応する第２の表示情報を決定し、第２の表示情報を端末に送信してもよい。
【００４７】
実施例では、サーバは、オプション拒否期間内に初期設定表示情報を端末に送信してもよい。対応する処理は以下の通りでもよい。端末により送信されたオプション拒否要求が受信された場合、端末により送信され且つターゲットアカウントに対応する第２の表示情報要求が、オプション拒否要求が受信される時間が属するオプション拒否期間内に受信されたときに、予め設定された様々なタイプ情報に対応する初期設定表示情報から、第１の表示情報の第１のタイプ情報に対応する第２の表示情報を取得し、第２の表示情報を端末に送信する。
【００４８】
実施例では、ユーザがビデオを視聴するために端末のビデオアプリケーションプログラムを使用するときに、ビデオの再生が完了した後に、インタフェースは、オプション拒否設定オプションを表示する。ユーザは、オプション拒否設定オプションをクリックし、複数のオプション拒否期間オプションを表示するように端末をトリガーしてもよい。ユーザは、オプション拒否期間オプションの選択ボックスをクリックし、オプション拒否要求をサーバに送信するように端末をトリガーするためのオプション拒否期間を選択してもよい。オプション拒否要求は、オプション拒否期間を搬送する。サーバがオプション拒否要求を受信したときに、サーバは、オプション拒否期間を取得するために解析を実行し、オプション拒否期間をターゲットアカウントのオプション拒否期間として記憶してもよい。サーバが端末により送信された第２の表示情報要求を受信したときに、サーバは、搬送されたターゲットアカウントのアカウント識別子を取得し、ターゲットアカウントのオプション拒否期間を取得し、ターゲットアカウントのオプション拒否期間内に第１の表示情報の第１のタイプ情報を決定してもよい。次に、サーバは、タイプ情報及び対応する初期設定表示情報に従って、第１のタイプ情報に対応する第２の表示情報を決定し、第２の表示情報を端末に送信してもよい。例えば、図３に示すように、ユーザが「The  Wireの第１シーズンの第１エピソード」を視聴するのを完了した後に、インタフェースは、オプション拒否設定オプションを表示する。ユーザは、オプション拒否設定オプションをクリックし、１日、３日、７日等のオプション拒否期間のオプションを表示するようにトリガーしてもよい。ユーザが表示情報オプションを７日間選択したくない場合、ユーザは、７日のオプション拒否期間の選択ボックスをクリックし、７日のオプション拒否期間を搬送するオプション拒否要求をサーバに送信するように端末をトリガーしてもよい。サーバは、ターゲットアカウントの７日のオプション拒否期間を記憶してもよい。サーバが第２の表示情報要求を受信したときに、サーバは、ターゲットアカウントのオプション拒否期間を取得してもよい。サーバが、７日内では第１の表示情報の第１のタイプ情報を女性コートとして決定し得る場合、サーバは、第１のタイプ情報の初期設定表示情報から、女性コートに対応する第２の表示情報を女性コートの表示情報として取得し、女性コートの表示情報を端末に送信してもよい。
【００４９】
ステップ109：端末は、サーバにより送信され且つ第１の表示情報の第１のタイプ情報に従って決定された第２の表示情報を受信し、第２の表示情報を再生する。
【００５０】
実施例では、端末がサーバにより送信された第２の表示情報を受信した後に、端末は、第２の表示情報をインタフェース上に再生してもよい。
【００５１】
実施例では、サーバにより送信され且つ第１のタイプ情報に従った複数の表示情報オプションが受信され、第１のタイプ情報に従った複数の表示情報オプションのうち第２の表示情報オプションを選択するためにユーザにより入力された選択命令が検出されたときに、第２の表示情報オプションがサーバに送信され、サーバにより送信され且つ第２の表示情報オプションに対応する第２の表示情報が受信され、第２の表示情報が再生される。
【００５２】
実施例では、端末がサーバにより送信され且つ第１のタイプ情報に従った複数の表示情報オプションを受信した後に、端末は、複数の表示情報オプションをインタフェース上に表示する。ユーザは、第２の表示情報オプションをクリックし、第２の表示情報オプションをサーバに送信するように端末をトリガーしてもよい。サーバが第２の表示情報オプションを受信した後に、サーバは、表示情報オプションと表示情報との間の対応関係に従って、第２の表示情報オプションに対応する第２の表示情報を決定し、次に、第２の表示情報をサーバに送信してもよい。端末が第２の表示情報を受信した後に、端末は、第２の表示情報を再生する。
【００５３】
この出願の実施例では、サーバは、ユーザによる選択のために、第１のタイプ情報及び第２のタイプ情報に従って、複数の表示情報オプションをユーザに更にプッシュしてもよい。図４に示すように、対応する処理は以下の通りでもよい。
【００５４】
ステップ201：端末は、ターゲットアカウントに対応する第３の表示情報要求をサーバに送信する。
【００５５】
実施例では、ユーザは、端末のビデオアプリケーションプログラムにログインしてビデオを視聴するために、ターゲットアカウントを使用する。ビデオの再生が完了する前に存続する第２の予め設定された持続時間内に、端末は、第３の表示情報要求をサーバに送信してもよく、第３の表示情報要求は、ターゲットアカウントのアカウント識別子を搬送する。
【００５６】
ステップ202：サーバは、端末により送信され且つターゲットアカウントに対応する第３の表示情報要求を受信したときに、第１の表示情報の第１のタイプ情報及び第２の表示情報の第２のタイプ情報に従った複数の表示情報オプションを決定し、複数の表示情報オプションを端末に送信する。
【００５７】
実施例では、サーバが第３の表示情報要求を受信したときに、サーバは、第１の表示情報のタイプ情報を第１のタイプ情報として取得し、第２の表示情報のタイプ情報を第２のタイプ情報として取得し、次に、第１のタイプ情報及び第２のタイプ情報に従った複数の表示情報オプションを決定し、複数の表示情報オプションを端末に送信してもよい。
【００５８】
ステップ203：端末は、サーバにより決定され且つ第１の表示情報の第１のタイプ情報及び第２の表示情報の第２のタイプ情報に従った複数の表示情報オプションを受信する。
【００５９】
ステップ204：端末は、第３の表示情報オプションを選択するためにユーザにより入力された選択命令を検出したときに、第１の表示情報の第１のタイプ情報及び第２の表示情報の第２のタイプ情報に従った複数の表示情報オプションのうち第３の表示情報オプションをサーバに送信する。
【００６０】
実施例では、端末が複数の表示情報オプションを受信した後に、端末は、複数の表示情報オプションをインタフェース上に表示してもよい。ユーザは、第３の表示情報オプションをクリックし、第３の表示情報オプションをサーバに送信するように端末をトリガーしてもよい。
【００６１】
ステップ205：サーバは、端末により送信され且つ第１のタイプ情報及び第２のタイプ情報に従った複数の表示情報オプションからユーザにより選択された第３の表示情報オプションを受信し、第３の表示情報オプションに対応する第３の表示情報を端末に送信する。
【００６２】
実施例では、サーバが端末により送信された第３の表示情報オプションを受信した後に、サーバは、表示情報オプションと表示情報との間の対応関係に従って、第３の表示情報オプションに対応する第３の表示情報を決定し、次に、第３の表示情報を端末に送信してもよい。
【００６３】
ステップ206：端末は、サーバにより送信され且つ第３の表示情報オプションに対応する第３の表示情報を受信し、第３の表示情報を再生する。
【００６４】
実施例では、端末がサーバにより送信された第３の表示情報を受信したときに、端末は、第３の表示情報をインタフェース上に表示してもよい。
【００６５】
この出願の実施例では、端末は、ターゲットアカウントに対応する第１の表示情報要求をサーバに送信する。サーバは、端末により送信され且つターゲットアカウントに対応する第１の表示情報要求を受信し、複数の表示情報オプションを端末に返信する。端末は、サーバによりフィードバックされた複数の表示情報オプションを受信する。端末が複数の表示情報オプションのうち第１の表示オプションを選択するためにユーザにより入力された選択命令を検出したときに、端末は、第１の表示情報オプションをサーバに送信する。サーバは、端末により送信され且つ複数の表示情報オプションからユーザにより選択された第１の表示情報オプションを受信し、第１の表示情報オプションに対応する第１の表示情報を端末に送信する。端末は、サーバにより送信され且つ第１の表示情報オプションに対応する第１の表示情報を受信し、第１の表示情報を再生する。端末は、ターゲットアカウントに対応する第２の表示情報要求をサーバに送信する。サーバが端末により送信され且つターゲットアカウントに対応する第２の表示情報要求を受信したときに、サーバは、第１の表示情報の第１のタイプ情報に従って第２の表示情報を端末に送信する。端末は、サーバにより送信され且つ第１の表示情報の第１のタイプ情報に従って決定された第２の表示情報を受信し、第２の表示情報を再生する。このように、ユーザの要件に従った表示情報が、ユーザにより以前に視聴された表示情報に従ってユーザに提示されてもよく、それにより、表示情報の有効性を改善する。
【００６６】
同じ技術的概念に基づいて、この出願の実施例は、サーバを更に提供する。図５に示すように、サーバは、
端末により送信され且つターゲットアカウントに対応する第１の表示情報要求を受信し、複数の表示情報オプションを端末にフィードバックするように構成されたフィードバックモジュール510と、
端末により送信され且つ複数の表示情報オプションからユーザにより選択された第１の表示情報オプションを受信し、第１の表示情報オプションに対応する第１の表示情報を端末に送信するように構成された第１の送信モジュール520と
端末により送信され且つターゲットアカウントに対応する第２の表示情報要求を受信したときに、第１の表示情報の第１のタイプ情報に従って第２の表示情報を端末に送信するように構成された第２の送信モジュール530と
を含む。
【００６７】
実施例では、第２の送信モジュール530は、端末により送信され且つターゲットアカウントに対応する第２の表示情報要求を受信した後に、第１の表示情報の第１のタイプ情報に従った複数の表示情報オプションを決定し、第１のタイプ情報に従った複数の表示情報オプションを端末に送信し、
端末により送信され且つ第１のタイプ情報に従った複数の表示情報オプションからユーザにより選択された第２の表示情報オプションを受信し、第２の表示情報オプションに対応する第２の表示情報を端末に送信するように構成される。
【００６８】
実施例では、図６に示すように、第２の送信モジュール530は、取得サブモジュール531と、送信サブモジュール532とを含み、
取得サブモジュール531は、端末により送信され且つターゲットアカウントに対応する第２の表示情報要求を受信した後に、ターゲットアカウントのログイン位置を取得するように構成され、
送信サブモジュール532は、対応する予め設定された表示エリア内にあり且つログイン位置にマッチし且つ第１の表示情報の第１のタイプ情報に従った複数の表示情報オプションを決定し、複数の表示情報オプションを端末に送信するように構成される。
【００６９】
実施例では、第１の送信モジュール520は、
端末により送信され且つ複数の表示情報オプションからユーザにより選択された表示情報オプションが、第１のタイプ情報に従った複数の表示情報オプションが端末に送信された後に存続する第１の予め設定された持続時間内に受信されない場合、複数の表示情報オプションに対応する表示情報から、最大回数再生される予め設定された表示情報を取得し、最大回数再生される予め設定された表示情報を端末に送信するように更に構成される。
【００７０】
実施例では、図７に示すように、サーバは、
端末により送信され且つターゲットアカウントに対応する第３の表示情報要求を受信したときに、第１の表示情報の第１のタイプ情報及び第２の表示情報の第２のタイプ情報に従った複数の表示情報オプションを決定し、複数の表示情報オプションを端末に送信するように構成された第３の送信モジュール540と、
端末により送信され且つ第１のタイプ情報及び第２のタイプ情報に従った複数の表示情報オプションからユーザにより選択された第３の表示情報オプションを受信し、第３の表示情報オプションに対応する第３の表示情報を端末に送信するように構成された第４の送信モジュール550と
を更に含む。
【００７１】
実施例では、第２の送信モジュール530は、
端末により送信され且つターゲットアカウントに対応する第２の表示情報要求が受信される前に、端末により送信されたタイプ選択要求が受信されない場合、端末により送信され且つターゲットアカウントに対応する第２の表示情報要求を受信した後に、第１の表示情報の第１のタイプ情報に従って第２の表示情報を端末に送信するように構成され、
第２の送信モジュール530は、
端末により送信され且つターゲットアカウントに対応する第２の表示情報要求が受信される前に、端末により送信されたタイプ選択要求が受信された場合、端末により送信され且つターゲットアカウントに対応する第２の表示情報要求を受信した後に、第３のタイプ情報に従って第２の表示情報を端末に送信するように更に構成され、タイプ選択要求は、ユーザにより選択された第３のタイプ情報を搬送する。
【００７２】
実施例では、第２の送信モジュール530は、
端末により送信されたオプション拒否要求が受信された場合、端末により送信され且つターゲットアカウントに対応する第２の表示情報要求が、オプション拒否要求が受信される時間が属するオプション拒否期間内に受信されたときに、予め設定された様々なタイプ情報に対応する初期設定表示情報から、第１の表示情報の第１のタイプ情報に対応する第２の表示情報を取得し、第２の表示情報を端末に送信するように構成される。
【００７３】
同じ技術的概念に基づいて、この出願の実施例は、端末を更に提供する。図８に示すように、端末は、
ターゲットアカウントに対応する第１の表示情報要求をサーバに送信するように構成された第１の送信モジュール810と、
サーバによりフィードバックされた複数の表示情報オプションを受信するように構成された受信モジュール820と、
第１の表示情報オプションを選択するためにユーザにより入力された選択命令を検出したときに、複数の表示情報オプションのうち第１の表示情報オプションをサーバに送信するように構成された第２の送信モジュール830と、
サーバにより送信され且つ第１の表示情報オプションに対応する第１の表示情報を受信し、第１の表示情報を再生するように構成された第１の再生モジュール840と、
ターゲットアカウントに対応する第２の表示情報要求をサーバに送信するように構成された第３の送信モジュール850と、
サーバにより送信され且つ第１の表示情報の第１のタイプ情報に従って決定された第２の表示情報を受信し、第２の表示情報を再生するように構成された第２の再生モジュール860と
を含む。
【００７４】
実施例では、図９に示すように、第２の送信モジュール830は、受信サブモジュール831と、送信サブモジュール832と、再生サブモジュール833とを含み、
受信サブモジュール831は、サーバにより送信され且つ第１の表示情報の第１のタイプ情報に従った複数の表示情報オプションを受信するように構成され、
送信サブモジュール832は、第２の表示情報オプションを選択するためにユーザにより入力された選択命令を検出したときに、第１のタイプ情報に従った複数の表示情報オプションのうち第２の表示情報オプションをサーバに送信するように構成され、
再生サブモジュール833は、サーバにより送信され且つ第２の表示情報オプションに対応する第２の表示情報を受信し、第２の表示情報を再生するように構成される。
【００７５】
実施例では、第１の送信モジュール810は、
ターゲットアカウントに対応する第３の表示情報要求をサーバに送信するように更に構成され、
受信モジュール820は、サーバにより送信され且つ第１の表示情報の第１のタイプ情報及び第２の表示情報の第２のタイプ情報に従った複数の表示情報オプションを受信するように更に構成され、
第２の送信モジュール830は、第３の表示情報オプションを選択するためにユーザにより入力された選択命令を検出したときに、第１の表示情報の第１のタイプ情報及び第２の表示情報の第２のタイプ情報に従った複数の表示情報オプションのうち第３の表示情報オプションをサーバに送信するように更に構成され、
第２の再生モジュール860は、サーバにより送信され且つ第３の表示情報オプションに対応する第３の表示情報を受信し、第３の表示情報を再生するように更に構成される。
【００７６】
情報を表示するための前述の実施例において提供されるサーバ及び端末が情報を表示するときに、機能モジュールの分割は説明のための例としてのみ使用される点に留意すべきである。実際の適用中に、機能は、要件に従った実現のために異なる機能モジュールに割り当てられもよく、すなわち、サーバ及び端末の内部構造は、前述の機能の一部又は全部を実行するために異なる機能モジュールに分割される。さらに、情報を表示するために前述の実施例において提供されるサーバ及び端末と、情報表示方法の実施例とは同じ概念を共有する。具体的な実現プロセスについて、方法の実施例を参照し、詳細はここでは再び説明しない。
【００７７】
この出願の実施例では、端末は、ターゲットアカウントに対応する第１の表示情報要求をサーバに送信する。サーバは、端末により送信され且つターゲットアカウントに対応する第１の表示情報要求を受信し、複数の表示情報オプションを端末に返信する。端末は、サーバによりフィードバックされた複数の表示情報オプションを受信する。端末が複数の表示情報オプションのうち第１の表示オプションを選択するためにユーザにより入力された選択命令を検出したときに、端末は、第１の表示情報オプションをサーバに送信する。サーバは、端末により送信され且つ複数の表示情報オプションからユーザにより選択された第１の表示情報オプションを受信し、第１の表示情報オプションに対応する第１の表示情報を端末に送信する。端末は、サーバにより送信され且つ第１の表示情報オプションに対応する第１の表示情報を受信し、第１の表示情報を再生する。端末は、ターゲットアカウントに対応する第２の表示情報要求をサーバに送信する。サーバが端末により送信され且つターゲットアカウントに対応する第２の表示情報要求を受信したときに、サーバは、第１の表示情報の第１のタイプ情報に従って第２の表示情報を端末に送信する。端末は、サーバにより送信され且つ第１の表示情報の第１のタイプ情報に従って決定された第２の表示情報を受信し、第２の表示情報を再生する。このように、ユーザの要件に従った表示情報が、ユーザにより以前に視聴された表示情報に従ってユーザに提示されてもよく、それにより、表示情報の有効性を改善する。
【００７８】
図１０は、この出願の実施例によるサーバの概略構成図である。サーバ1000は、異なる構成又は性能に従ってかなり異なってもよく、１つ以上の中央処理装置（CPU）1822（例えば、１つ以上のプロセッサ）と、メモリ1832と、アプリケーション1842又はデータ1844を記憶するための１つ以上の記憶媒体1830（例えば、１つ以上の大容量記憶デバイス）とを含んでもよい。メモリ1832及び記憶媒体1830は、一時的な記憶又は永続的な記憶を実行してもよい。記憶媒体1830に記憶されたプログラムは、１つ以上のモジュール（図面に図示せず）を含んでもよく、各モジュールは、サーバにおける一連の命令動作を含んでもよい。さらに、中央処理装置1822は、記憶媒体1830と通信し、サーバ1000において記憶媒体1830内の一連の命令動作を実行するように構成されてもよい。
【００７９】
サーバ1000は、１つ以上の電源1826、１つ以上の有線若しくは無線ネットワークインタフェース1850、１つ以上の入出力インタフェース1858、１つ以上のキーボード1856、及び／又はWindows  Server（登録商標）、Mac  OS  X（登録商標）TM、Unix（登録商標）、Linux（登録商標）及びFreeBSD（登録商標）のような１つ以上のオペレーティングシステム1841を更に含んでもよい。
【００８０】
サーバ1000は、メモリ及び１つ以上のプログラムを含んでもよい。１つ以上のプログラムは、メモリに記憶され、１つ以上のプロセッサにより実行されるように構成される。１つ以上のプログラムは、以下の動作、すなわち、
端末により送信され且つターゲットアカウントに対応する第１の表示情報要求を受信し、複数の表示情報オプションを端末に返信する動作と、
端末により送信され且つ複数の表示情報オプションからユーザにより選択された第１の表示情報オプションを受信し、第１の表示情報オプションに対応する第１の表示情報を端末に送信する動作と、
端末により送信され且つターゲットアカウントに対応する第２の表示情報要求を受信したときに、第１の表示情報の第１のタイプ情報に従って第２の表示情報を端末に送信する動作と
を実行するために使用される命令を含む。
【００８１】
実施例では、端末により送信され且つターゲットアカウントに対応する第２の表示情報要求を受信したときに、第１の表示情報の第１のタイプ情報に従って第２の表示情報を端末に送信する動作は、
端末により送信され且つターゲットアカウントに対応する第２の表示情報要求を受信した後に、第１の表示情報の第１のタイプ情報に従った複数の表示情報オプションを決定し、第１のタイプ情報に従った複数の表示情報オプションを端末に送信する動作と、
端末により送信され且つ第１のタイプ情報に従った複数の表示情報オプションからユーザにより選択された第２の表示情報オプションを受信し、第２の表示情報オプションに対応する第２の表示情報を端末に送信する動作と
を含む。
【００８２】
実施例では、端末により送信され且つターゲットアカウントに対応する第２の表示情報要求を受信した後に、第１の表示情報の第１のタイプ情報に従った複数の表示情報オプションを決定し、第１のタイプ情報に従った複数の表示情報オプションを端末に送信する動作は、
端末により送信され且つターゲットアカウントに対応する第２の表示情報要求を受信した後に、ターゲットアカウントのログイン位置を取得する動作と、
対応する予め設定された表示エリア内にあり且つログイン位置にマッチし且つ第１の表示情報の第１のタイプ情報に従った複数の表示情報オプションを決定し、複数の表示情報オプションを端末に送信する動作と
を含む。
【００８３】
実施例では、方法は、
端末により送信され且つ複数の表示情報オプションからユーザにより選択された表示情報オプションが、第１のタイプ情報に従った複数の表示情報オプションが端末に送信された後に存続する第１の予め設定された持続時間内に受信されない場合、複数の表示情報オプションに対応する表示情報から、最大回数再生される予め設定された表示情報を取得し、最大回数再生される予め設定された表示情報を端末に送信する動作を更に含む。
【００８４】
実施例では、方法は、
端末により送信され且つターゲットアカウントに対応する第３の表示情報要求を受信したときに、第１の表示情報の第１のタイプ情報及び第２の表示情報の第２のタイプ情報に従った複数の表示情報オプションを決定し、複数の表示情報オプションを端末に送信する動作と、
端末により送信され且つ第１のタイプ情報及び第２のタイプ情報に従った複数の表示情報オプションからユーザにより選択された第３の表示情報オプションを受信し、第３の表示情報オプションに対応する第３の表示情報を端末に送信する動作と
を更に含む。
【００８５】
実施例では、端末により送信され且つターゲットアカウントに対応する第２の表示情報要求を受信した後に、第１の表示情報の第１のタイプ情報に従って第２の表示情報を端末に送信する動作は、
端末により送信され且つターゲットアカウントに対応する第２の表示情報要求が受信される前に、端末により送信されたタイプ選択要求が受信されない場合、端末により送信され且つターゲットアカウントに対応する第２の表示情報要求を受信した後に、第１の表示情報の第１のタイプ情報に従って第２の表示情報を端末に送信する動作を含み、
方法は、
端末により送信され且つターゲットアカウントに対応する第２の表示情報要求が受信される前に、端末により送信されたタイプ選択要求が受信された場合、端末により送信され且つターゲットアカウントに対応する第２の表示情報要求を受信した後に、第３のタイプ情報に従って第２の表示情報を端末に送信する動作であり、タイプ選択要求は、ユーザにより選択された第３のタイプ情報を搬送する動作を更に含む。
【００８６】
実施例では、端末により送信され且つターゲットアカウントに対応する第２の表示情報要求を受信した後に、第１の表示情報の第１のタイプ情報に従って第２の表示情報を端末に送信する動作は、
端末により送信されたオプション拒否要求が受信された場合、端末により送信され且つターゲットアカウントに対応する第２の表示情報要求が、オプション拒否要求が受信される時間が属するオプション拒否期間内に受信されたときに、予め設定された様々なタイプ情報に対応する初期設定表示情報から、第１の表示情報の第１のタイプ情報に対応する第２の表示情報を取得し、第２の表示情報を端末に送信する動作を含む。
【００８７】
この出願のこの実施例では、端末は、ターゲットアカウントに対応する第１の表示情報要求をサーバに送信する。サーバは、端末により送信され且つターゲットアカウントに対応する第１の表示情報要求を受信し、複数の表示情報オプションを端末に返信する。端末は、サーバによりフィードバックされた複数の表示情報オプションを受信する。端末が複数の表示情報オプションのうち第１の表示オプションを選択するためにユーザにより入力された選択命令を検出したときに、端末は、第１の表示情報オプションをサーバに送信する。サーバは、端末により送信され且つ複数の表示情報オプションからユーザにより選択された第１の表示情報オプションを受信し、第１の表示情報オプションに対応する第１の表示情報を端末に送信する。端末は、サーバにより送信され且つ第１の表示情報オプションに対応する第１の表示情報を受信し、第１の表示情報を再生する。端末は、ターゲットアカウントに対応する第２の表示情報要求をサーバに送信する。サーバが端末により送信され且つターゲットアカウントに対応する第２の表示情報要求を受信したときに、サーバは、第１の表示情報の第１のタイプ情報に従って第２の表示情報を端末に送信する。端末は、サーバにより送信され且つ第１の表示情報の第１のタイプ情報に従って決定された第２の表示情報を受信し、第２の表示情報を再生する。このように、ユーザの要件に従った表示情報が、ユーザにより以前に視聴された表示情報に従ってユーザに提示されてもよく、それにより、表示情報の有効性を改善する。
【００８８】
図１１を参照すると、図１１は、この出願の実施例による端末の概略構成図である。端末は、スマートフォン、タブレットコンピュータ等でもよく、前述の実施例において提供される情報表示方法を実現するように構成されてもよい。詳細は以下の通りである。
【００８９】
端末1100は、無線周波数（RF）回路110、１つ以上のコンピュータ読み取り可能記憶媒体を含むメモリ120、入力ユニット130、表示ユニット140、センサ150、オーディオ回路160、ワイヤレスフィデリティ（WiFi）モジュール170、１つ以上の処理コアを含むプロセッサ180、電源190のようなコンポーネントを含んでもよい。当業者は、図１１に示す端末の構造が端末に対する限定を構成せず、端末は、図面に示すものより多いコンポーネント又はより少ないコンポーネントを含んでもよく、或いはいくつかのコンポーネントが結合されてもよく、或いは異なるコンポーネントの配置が使用されてもよいことを理解し得る。
【００９０】
RF回路110は、情報の受信及び送信過程又は通話過程中に、信号を受信及び送信し、特に、基地局から下りリンク情報を受信し、次に、処理のために、下りリンク情報を１つ以上のプロセッサ180に送付し、関係する上りリンクデータを基地局に送信するように構成されてもよい。一般的に、RF回路110は、アンテナ、少なくとも１つの増幅器、チューナ、１つ以上の発振器、加入者識別モジュール（SIM）カード、トランシーバ、カプラ、低雑音増幅器（LNA）、デュプレクサ等を含むが、これらに限定されない。さらに、RF回路110はまた、無線通信を用いて、ネットワーク及び他のデバイスと通信してもよい。無線通信は、グローバル・システム・フォー・モバイル・コミュニケーションズ（GSM）、汎用パケット無線サービス（GPRS）、符号分割多元接続（CDMA）、広帯域符号分割多元接続（WCDMA）、ロングタームエボリューション（LTE）、電子メール、ショートメッセージングサービス（SMS）等を含むが、これらに限定されないいずれかの通信標準又はプロトコルを使用してもよい。
【００９１】
メモリ120は、ソフトウェアプログラム及びモジュールを記憶するように構成されてもよい。プロセッサ180は、メモリ120に記憶されたソフトウェアプログラム及びモジュールを実行し、様々な機能アプリケーション及びデータ処理を実現する。メモリ120は、プログラム記憶エリアとデータ記憶エリアとを主に含んでもよい。プログラム記憶エリアは、オペレーティングシステム、少なくとも１つの機能（音声再生機能、画像表示機能等）により必要とされるアプリケーションプログラム等を記憶してもよい。データ記憶エリアは、端末1100の使用に従って生成されたデータ（オーディオデータ、アドレス帳等）等を記憶してもよい。さらに、メモリ120は、高速ランダムアクセスメモリを含んでもよく、また、少なくとも１つのディスク記憶デバイス、フラッシュメモリデバイス又は他の揮発性ソリッドステート記憶デバイスのような不揮発性メモリを含んでもよい。相応して、メモリ120は、プロセッサ180及び入力ユニット130がメモリ120にアクセスするためのメモリコントローラを更に含んでもよい。
【００９２】
入力ユニット130は、入力された数字又は文字情報を受信し、ユーザ設定及び機能制御に関連するキーボード、マウス、ジョイスティック、光学又はトラックボールの信号入力を生成するように構成されてもよい。具体的には、入力ユニット130は、タッチセンシティブ面131と他の入力デバイス132とを含んでもよい。タッチスクリーン又はタッチバッドと呼ばれてもよいタッチセンシティブ面131は、タッチセンシティブ面上又はタッチセンシティブ面の近くのユーザのタッチ操作（例えば、指又はスタイラスのようないずれか適切な物体又は付属品を使用することによる、タッチセンシティブ面131上又はタッチセンシティブ面131の近くのユーザの操作等）を収集し、予め設定されたプログラムに従って対応する接続装置を駆動してもよい。実施例では、タッチセンシティブ面131は、タッチ検出装置及びタッチコントローラの２つの部分を含んでもよい。タッチ検出装置は、ユーザのタッチ位置を検出し、タッチ操作により生成された信号を検出し、信号をタッチコントローラに転送する。タッチコントローラは、タッチ検出装置からタッチ情報を受信し、タッチ情報をタッチ点座標に変換し、タッチ点座標をプロセッサ180に送信する。さらに、タッチコントローラは、プロセッサ180から送信されたコマンドを受信して実行できる。さらに、タッチセンシティブ面131は、抵抗型、容量式、赤外線型及び表面弾性波型のような様々なタイプを使用することにより実現されてもよい。タッチセンシティブ面131に加えて、入力ユニット130は、他の入力デバイス132を更に含んでもよい。具体的には、他の入力デバイス132は、物理キーボード、機能キー（音量制御キー又は切り替えキー等）、トラックボール、マウス及びジョイスティックのうち少なくとも１つを含んでもよいが、これらに限定されない。
【００９３】
表示ユニット140は、ユーザにより入力された情報又はユーザに提供される情報と、端末1100の様々なグラフィカルユーザインタフェースとを表示するように構成されてもよい。グラフィカルユーザインタフェースは、グラフ、テキスト、アイコン、ビデオ及びこれらのいずれかの組み合わせにより形成されてもよい。表示ユニット140は、表示パネル141を含んでもよい。実施例では、表示パネル141は、液晶ディスプレイ（LCD）、有機発光ダイオード（OLED）等を使用することにより構成されてもよい。さらに、タッチセンシティブ面131は、表示パネル141を覆ってもよい。タッチセンシティブ面131上又はタッチセンシティブ面131の近くのタッチ操作を検出した後に、タッチセンシティブ面131は、タッチイベントの種類を決定するために、タッチ操作をプロセッサ180に転送する。次に、プロセッサ180は、タッチイベントの種類に従って、表示パネル141上に対応する視覚出力を提供する。図１１では、タッチセンシティブ面131及び表示パネル141が入力及び出力機能を実現するための２つの独立した部分として使用されているが、いくつかの実施例では、タッチセンシティブ面131及び表示パネル141は、入力及び出力機能を実現するために統合されてもよい。
【００９４】
端末1100は、少なくとも１つのセンサ150、例えば、光センサ、動きセンサ又は他のセンサを更に含んでもよい。具体的には、光センサは、周辺光センサと近接センサとを含んでもよい。周辺光センサは、周辺光の明るさに従って表示パネル141の輝度を調整してもよい。端末1100が耳に移動したときに、近接センサは、表示パネル141及び／又はバックライトをオフに切り替えてもよい。１つの種類の動きセンサとして、重力加速度センサは、様々な方向（一般的には３軸）における加速度の大きさを検出してもよく、静止しているときの重力の大きさ及び方向を検出してもよく、移動電話のジェスチャの適用（ポートレートモードと風景モードとの切り替え、関係するゲーム及び磁力計のジェスチャ較正等）と、バイブレーション識別の関係する機能とを識別するように構成されてもよい。端末1100内に構成されてもよいジャイロスコープ、気圧計、湿度計、温度計、赤外線センサのような他のセンサについて、ここでは更に説明しない。
【００９５】
オーディオ回路160、スピーカ161及びマイクロフォン162は、ユーザと端末1100との間のオーディオインタフェースを提供してもよい。オーディオ回路160は、受信したオーディオデータを変換することにより取得された電気信号をスピーカ161に送信してもよく、それにより、スピーカ161は、出力のために電気信号を音信号に変換する。さらに、マイクロフォン162は、収集された音信号を電気信号に変換する。オーディオ回路160は、電気信号を受信し、電気信号をオーディオデータに変換し、処理のためにオーディオデータをプロセッサ180に出力する。RF回路110は、オーディオデータを、例えば他の端末に送信するか、或いは更なる処理のためにオーディオデータをメモリ120に出力する。オーディオ回路160は、周辺機器のイヤフォンと端末1100との間の通信を提供するためのイヤプラグジャックを更に含んでもよい。
【００９６】
WiFiは、短距離無線送信技術に属する。端末1100は、WiFiモジュール170を使用することにより、ユーザが電子メールを受信及び送信すること、ウェブページをブラウズすること、ストリーミングメディアにアクセスすること等を支援してもよく、これは、ユーザのための無線ブロードバンドインターネットアクセスを提供する。図１１は、WiFiモジュール170を示しているが、WiFiモジュール170は、必ずしも端末1100の必須のコンポーネントではなく、この出願の本質を逸脱することなく必要に応じて省略されてもよい。
【００９７】
端末1100の制御センタとして、プロセッサ180は、移動電話の全ての部分を接続するために、様々なインタフェース及び回路を使用し、メモリ120に記憶されたソフトウェアプログラム及び／又はモジュールを動作又は実行し、メモリ120に記憶されたデータを呼び出すことにより、端末1100の様々な機能を実行してデータを処理し、それにより、移動電話に対する全体の監視を実行する。実施例では、プロセッサ180は、１つ以上の処理コアを含んでもよい。好ましくは、プロセッサ180は、アプリケーションプロセッサ及びモデムを統合してもよい。アプリケーションプロセッサは、主にオペレーティングシステム、ユーザインタフェース、アプリケーションプログラム等を処理する。モデムは、主に無線通信を処理する。前述のモデムは、プロセッサ180に統合されなくてもよいことが理解され得る。
【００９８】
端末1100は、コンポーネントに対して電力を供給する電源190（バッテリ等）を更に含む。好ましくは、電源は、電源管理システムを使用することにより、論理的にプロセッサ180に接続し、それにより、電源管理システムを使用することにより充電、放電及び電力消費管理のような機能を実現してもよい。電源190は、１つ以上の直流又は交流電源、再充電システム、電源異常検出回路、電源コンバータ又はインバータ及び電源状態インジケータのようないずれかのコンポーネントを更に含んでもよい。
【００９９】
図示しないが、端末1100は、カメラ、ブルートゥースモジュール等を更に含んでもよく、これは、ここでは更に説明しない。具体的には、この実施例では、端末1000の表示ユニットはタッチスクリーンディスプレイであり、端末1000は、メモリと１つ以上のプログラムとを更に含む。１つ以上のプログラムは、メモリに記憶され、１つ以上のプロセッサにより実行されるように構成され、１つ以上のプログラムは、以下の動作、すなわち、
ターゲットアカウントに対応する第１の表示情報要求をサーバに送信する動作と、
サーバによりフィードバックされた複数の表示情報オプションを受信する動作と、
第１の表示情報オプションを選択するためにユーザにより入力された選択命令を検出したときに、複数の表示情報オプションのうち第１の表示情報オプションをサーバに送信する動作と、
サーバにより送信され且つ第１の表示情報オプションに対応する第１の表示情報を受信し、第１の表示情報を再生する動作と、
ターゲットアカウントに対応する第２の表示情報要求をサーバに送信する動作と、
サーバにより送信され且つ第１の表示情報の第１のタイプ情報に従って決定された第２の表示情報を受信し、第２の表示情報を再生する動作と
を実行するための命令を含む。
【０１００】
実施例では、サーバにより送信され且つ第１の表示情報の第１のタイプ情報に従って決定された第２の表示情報を受信し、第２の表示情報を再生する動作は、
サーバにより送信され且つ第１の表示情報の第１のタイプ情報に従った複数の表示情報オプションを受信する動作と、
第２の表示情報オプションを選択するためにユーザにより入力された選択命令を検出したときに、第１のタイプ情報に従った複数の表示情報オプションのうち第２の表示情報オプションをサーバに送信する動作と、
サーバにより送信され且つ第２の表示情報オプションに対応する第２の表示情報を受信し、第２の表示情報を再生する動作と
を含む。
【０１０１】
実施例では、方法は、
ターゲットアカウントに対応する第３の表示情報要求をサーバに送信する動作と、
サーバにより送信され且つ第１の表示情報の第１のタイプ情報及び第２の表示情報の第２のタイプ情報に従った複数の表示情報オプションを受信する動作と、
第３の表示情報オプションを選択するためにユーザにより入力された選択命令を検出したときに、第１の表示情報の第１のタイプ情報及び第２の表示情報の第２のタイプ情報に従った複数の表示情報オプションのうち第３の表示情報オプションをサーバに送信する動作と、
サーバにより送信され且つ第３の表示情報オプションに対応する第３の表示情報を受信し、第３の表示情報を再生する動作と
を更に含む。
【０１０２】
この出願のこの実施例では、端末は、ターゲットアカウントに対応する第１の表示情報要求をサーバに送信する。サーバは、端末により送信され且つターゲットアカウントに対応する第１の表示情報要求を受信し、複数の表示情報オプションを端末に返信する。端末は、サーバによりフィードバックされた複数の表示情報オプションを受信する。端末が複数の表示情報オプションのうち第１の表示オプションを選択するためにユーザにより入力された選択命令を検出したときに、端末は、第１の表示情報オプションをサーバに送信する。サーバは、端末により送信され且つ複数の表示情報オプションからユーザにより選択された第１の表示情報オプションを受信し、第１の表示情報オプションに対応する第１の表示情報を端末に送信する。端末は、サーバにより送信され且つ第１の表示情報オプションに対応する第１の表示情報を受信し、第１の表示情報を再生する。端末は、ターゲットアカウントに対応する第２の表示情報要求をサーバに送信する。サーバが端末により送信され且つターゲットアカウントに対応する第２の表示情報要求を受信したときに、サーバは、第１の表示情報の第１のタイプ情報に従って第２の表示情報を端末に送信する。端末は、サーバにより送信され且つ第１の表示情報の第１のタイプ情報に従って決定された第２の表示情報を受信し、第２の表示情報を再生する。このように、ユーザの要件に従った表示情報が、ユーザにより以前に視聴された表示情報に従ってユーザに提示されてもよく、それにより、表示情報の有効性を改善する。
【０１０３】
当業者は、前述の例のステップの全部又は一部がハードウェアを使用することにより実現されてもよく、或いは関係するハードウェアに命令するプログラムより実現されてもよいことを理解し得る。プログラムは、コンピュータ読み取り可能記憶媒体に記憶されてもよい。記憶媒体は、読み取り専用メモリ、磁気ディスク、光ディスク等でもよい。
【０１０４】
前述は、この出願の単に好ましい実施例を説明しているだけであり、この出願を限定するために使用されない。この出願の真意及び原理内で行われるいずれかの変更、等価置換、改善等は、この出願の保護範囲内に入るものとする。
【図１】
2019511142.tif 000003
【図２】
2019511142.tif 000004
【図３】
2019511142.tif 000005
【図４】
2019511142.tif 000006
【図５】
2019511142.tif 000007
【図６】
2019511142.tif 000008
【図７】
2019511142.tif 000009
【図８】
2019511142.tif 000010
【図９】
2019511142.tif 000011
【図１０】
2019511142.tif 000012
【図１１】
2019511142.tif 000013
【国際調査報告】
2019511142.tif 000014
2019511142.tif 000015
2019511142.tif 000016
2019511142.tif 000017